(57)【要約】      （修正有）【課題】電子機器を突出状態に摺動させ、電子機器用カバーがカメラの視野の妨げにならないようにした電子機器用カバー装置を提供する。【解決手段】電子機器用カバー装置１において、上ガイドケース１１及び下ガイドケース間に、ロックプレート３１を横方向に摺動自在に設けたスライダケース１３を上辺及び下辺方向に摺動できるように設け、ロックプレート３１の後端面側に形成した係止部を、上ガイドケース１１の右側縁部及び又は左側縁部に摺動させながら、押圧偏奇用スプリングによって押圧偏奇することにより、右側縁部及び又は左側縁部に設けた非突出ロック溝４６Ａ又は突出ロック溝４６Ｂに係止ロックさせる。これにより、スライダケース１３の表面に接着した電子機器４５を摺動動作させる。【選択図】図１
2020022180.tif 000002
【特許請求の範囲】
【請求項１】
左右方向に裏面シート部及び表面シート部を横方向に連接してなるカバーシート部材を上記横方向の中間位置において２つ折りして上記裏面シート部及び上記表面シート部間に電子機器をカバー保持するようになされた電子機器用カバー装置において、
上記表面シートの内側表面に、上記横方向と直交する上下辺方向に摺動するようにスライダケースを保持するガイドケースが設けられ、
上記スライダケースは、枠開口を有する長方形枠型形状の上ガイドケースと、当該上ガイドケースによって閉塞される皿型形状の下ガイドケースとの間に、上記上ガイドケースの上記枠開口内を上記上下辺方向に摺動するように挟着保持され、
上記スライダケースの上面に接着保持された電子機器が、上記スライダケースの摺動動作によって、上記裏面シート部及び上記表面シート部の間に全体としてカバーされた動作状態と、上記裏面シート部及び上記表面シート部の上記上下辺方向の縁部から上記上下辺方向の端部が外方向に突出する動作状態とを選択的に動作することができるように、上記スライダケースは、上記上ガイドケースの左側縁部及び又は右側縁部に設けられた非突出ロック溝又は突出ロック溝に係止されるロックプレートを具える
ことを特徴とする電子機器用カバー装置。
【請求項２】
上記スライダケースは、上記ロックプレートを上記横方向に摺動自在に保持する摺動溝を有し、上記ロックプレートの後端面側に設けた押圧偏奇用スプリングによって上記ロックプレートを上記横方向に押圧偏奇することにより上記ロックプレートの先端面側に形成した係止部を上記上ガイドケースの左側縁部又は右側縁部に摺動自在に押し付けた状態を得、これによりスライダケースが上記電子機器と一体に上記上下辺方向に摺動されたとき上記係止部が上記非突出ロック溝又は上記突出ロック溝に係止ロックされる
ことを特徴とする請求項１に記載の電子機器用カバー装置。
【請求項３】
上記スライダケースは、下方に沿って解放された凹部を有し、上記凹部内に上記ロックプレート及び上記押圧偏奇用スプリングを設けた状態で上記凹部を上記下ガイドケースの底板部に押しつける態様で、上記上ガイドケース及び上記下ガイドケース間に挟着保持されている
ことを特徴とする請求項２に記載の電子機器用カバー装置。
【請求項４】
上記偏奇用スプリングは折曲げ状スプリング又はコイル状スプリングでなる
請求項２に記載の電子機器用カバー装置。
【発明の詳細な説明】
【技術分野】
【０００１】
本発明は電子機器用カバー装置に関し、特に電子機器本体を必要に応じて外部に突出させることができるようにしたものである。
【背景技術】
【０００２】
携帯電話機や、スマートフォンのような携帯型情報処理用機器などの携帯型電子機器においては、外部からの障害の予防や、携帯の簡便性や、手回り品としての意匠的効果の観点などから電子機器本体を覆うようなケースやカバーを用いることが多様化されている（特許文献１参照）。
【先行技術文献】
【特許文献】
【０００３】
【特許文献１】特開２０１５−１４９７８２号公報
【発明の概要】
【発明が解決しようとする課題】
【０００４】
ところで、この種の携帯型電子機器においては、一般に、小型カメラが搭載されており、ユーザが当該カメラを使用する際に、電子機器本体を覆うように設けられたケースやカバーがカメラの視野の妨げにならないようにする必要がある。
【０００５】
本発明は以上の点を考慮してなされたもので、電子機器用カバーがカメラの視野の妨げにならないようにした電子機器用カバー装置を提案しようとするものである。
【課題を解決するための手段】
【０００６】
かかる課題を解決するため本発明においては、左右方向に裏面シート部６及び表面シート部４を横方向に連接してなるカバーシート部材２を横方向の中間位置において２つ折りして裏面シート部６及び表面シート部４間に電子機器４５をカバー保持するようになされた電子機器用カバー装置１において、表面シート部４の内側表面に、横方向と直交する上下辺方向に摺動するようにスライダケース１３を保持するガイドケース１０が設けられ、スライダケース１３は、枠開口を有する長方形枠型形状の上ガイドケース１１と、当該上ガイドケース１１によって閉塞される皿型形状の下ガイドケース１２との間に、上ガイドケース１１の枠開口内を上下辺方向に摺動するように挟着保持され、スライダケース１３の上面に接着保持された電子機器４５が、スライダケース１３の摺動動作によって、裏面シート部６及び表面シート部４の間に全体としてカバーされた動作状態と、裏面シート部６及び表面シート部４の上下辺方向の縁部から上下辺方向の端部が外方向に突出する動作状態とを選択的に動作することができるように、スライダケース１３は、上ガイドケース１１の左側縁部１１Ｌ及び又は右側縁部１１Ｒに設けられた非突出ロック溝４６Ａ又は突出ロック溝４６Ｂに係止されるロックプレート３１を具えるようにする。
【発明の効果】
【０００７】
本発明によれば、上ガイドケース及び下ガイドケース間に、ロックプレートを横方向に摺動自在に設け、ロックプレートの後端面側に形成した係止部を上ガイドケースの右側縁部及び又は左側縁部に摺動させながら押圧偏奇用スプリングによって押圧偏奇することにより、右側縁部及び又は左側縁部に設けた非突出ロック溝又は突出ロック溝に係止ロックさせるように構成する。
【図面の簡単な説明】
【０００８】
【図１】（Ａ）及び（Ｂ）は非突出ロック状態及び突出ロック状態にある電子機器用カバー装置１を示す平面図である。
【図２】図１の電子機器用保持機構５の詳細構成を示す分解構成図である。
【図３】スライダケース１３の構成を裏側から見て示す斜視図である。
【図４】スライダケース１３に対するロックプレート３１の摺動動作の説明に供する略線的斜視図である。
【図５】ロックプレート３１の詳細構成を裏側から見た斜視図である。
【図６】ロックプレート３１と押圧偏奇用スプリング４１の結合状態を裏側から見た部分的拡大斜視図である。
【図７】（Ａ）、（Ｂ）及び（Ｃ）はスライダケース１３の基本構想を示す部分的断面図である。
【図８】（Ａ）、（Ｂ）及び（Ｃ）は第２の実施の形態におけるスライダケースの基本構想を示す部分的断面図である。
【図９】（Ａ）、（Ｂ）及び（Ｃ）は第３の実施の形態におけるスライダケースの基本構想を示す部分的断面図である。
【発明を実施するための形態】
【０００９】
以下図面について、本発明の一実施の形態を詳述する。
【００１０】
（１）第１の実施の形態
図１において、１は全体として電子機器用カバー装置を示し、横長の長方形状の縫製素材でなるカバーシート部材２の中央シート部３を中心として左右方向に２つ折りできるようになされている。
【００１１】
右側の表面シート部４の内面には電子機器保持機構５が設けられているのに対して、左側の裏面シート部６にはユーザが常時使用するカード類を一時的に保持するカード収納機構７が設けられている。
【００１２】
電子機器保持機構５は、図２に示すように、合成樹脂材料でなる長方形状の板状枠体で構成された上ガイドケース１１と、この上ガイドケース１１の枠開口１１Ａを下側から閉塞するように重ね合わされた合成樹脂材料でなる皿形状の下ガイドケース１２とを有する。
【００１３】
上ガイドケース１１の左側縁部１１Ｌ及び右側縁部１１Ｒは下ガイドケース１２の左側縁部１２Ｌ及び右側縁部１２Ｒより内側に張り出すように左側縁部１２Ｌ及び右側縁部１２Ｒより幅広に構成されていると共に、上ガイドケース１１の下辺縁部１１Ｄ及び上辺縁部１１Ｕは下ガイドケース１２の下辺縁部１２Ｄ及び上辺縁部１２Ｕより幅広に構成されている。
【００１４】
これにより上ガイドケース１１の下面と下ガイドケース１２の底板部１２Ａとの間に合成樹脂材料で構成されたスライドケース１３が上下辺方向に摺動できる摺動空間５Ａを形成している。
【００１５】
スライダケース１３の左側縁部１３Ｌ及び右側縁部１３Ｒにはそれぞれ左側方向及び右側方向に突出するように摺動突子部２１Ｌ及び２１Ｒが形成され、この摺動突子部２１Ｌ及び２１Ｒが左側縁部１１Ｌ及び右側縁部１１Ｒの下面と底板部１２Ａの上面とに挟まれるように案内されながら上ガイドケース１１及び下ガイドケース１２の下辺縁部１１Ｄ及び１２Ｄから上辺縁部１１Ｕ及び１２Ｕの方向に、又はその逆方向に摺動できるようになされている。
【００１６】
スライダケース１３は上下方向を反転させて（裏返して）図３に示すように、左側縁部１３Ｌ及び右側縁部１３Ｒと下辺縁部１３Ｄ及び上辺縁部１３Ｕとによって囲まれて下方に開放するような凹部２２を形成している。
【００１７】
右側縁部１３Ｒには外部から凹部２２に連通するような摺動溝２３が穿設されており、摺動溝２３の相対向する案内面２３Ａ及び２３Ｂを凹部２２にまで連通させるように案内部材２４Ａ及び２４Ｂが設けられている。
【００１８】
かくして外側から摺動溝２３を通ってロックプレート３１が差し込まれたとき、案内面２３Ａ及び２３Ｂと案内部材２４Ａ及び２４Ｂの連接面を介してロックプレート３１の先端部が凹部２２の表面に摺動しながら出し入れ動作できるようになされている。
【００１９】
このときスライダケース１３は、凹部２２の空所が下ガイドケース１２の底板部１２Ａ上に伏せるような状態で下ガイドケース１２の底板部１２Ａの面上に置かれていると共に、摺動突子２１Ｌ及び摺動突子２１Ｒが、上ガイドケース１１の左側縁部１１Ｌ及び右側縁部１１Ｒと、下ガイドケース１２の底板部１２Ａとの間に摺動自在に挟着された状態で保持されている。
【００２０】
これにより、図４に示すように、ロックプレート３１が摺動溝２３に差し込まれたとき、ロックプレート３１の挿入部３１Ａが案内面２３Ａ及び２３Ｂと、案内部材２４Ａ及び２４Ｂとによって下ガイドケース１２の底板部１２Ａ上に案内保持される。
【００２１】
その結果、ロックプレート３１が摺動溝２３の最も深い位置に挿入されたとき、ロックプレート３１の後端側に設けられた係止部３１Ｂが凹部２２の前端面位置まで挿入され、これにより係止部３１Ｂが摺動溝２３を閉塞する状態になるようになされている。
【００２２】
この実施の形態の場合、ロックプレート３１の係止部３１Ｂは挿入部３１Ａの厚味より大きな厚味を有すると共に、後端面３１Ｃが後方に円弧状に突出する形状を有すると共に、前端面３１Ｄが凹部２２の後端面２２Ａと対向するような平面を形成しており、これによりロックプレート３１が最も深い位置に押し込まれたとき、係止部３１Ｂの前端面３１Ｄが凹部２２の後端面２２Ａに近接した状態になり、このとき係止部３１Ｂの後端面３１Ｃが上ガイドケース１１の右側縁部１１Ｒの内表面に対接した状態に維持される。
【００２３】
スライダケース１３の凹部２２において、摺動溝２３と対向する後方位置には、棒状のＵ字状押圧偏奇用スプリング４１が配設され、その後方端部４１Ａがスライダケース１３の左側縁部１３Ｌの前面と対向するように形成された一対の係止突起４１Ｂ及び４１Ｃとの間に係止され、これにより押圧偏奇用スプリング４１の前方端部４１Ｄが摺動溝２３に対して前後方向に弾力動作できるようになされている。
【００２４】
この実施の形態の場合、ロックプレート３１の挿入部３１Ａの先端部には図５に示すように、係止部３１Ｅとして一対の係止爪３１Ｆ及び３１Ｇが設けられ、この一対の係止爪３１Ｆ及び３１Ｇによって図６に示すように、押圧偏奇用スプリング４１の前方端部４１Ｄが係止されている。
【００２５】
これによりロックプレート３１は常時押圧偏奇用スプリング４１の前方端部４１Ｄに係止されており、これによりロックプレート３１の摺動溝２３内の摺動動作の際に、当該ロックプレート３１が押圧偏奇用スプリング４１のスプリング動作と離間することなく一体に動作するようになされている。
【００２６】
以上の構成に加えて、上ガイドケース１１の右側縁部１１Ｒの内側面には２つのロック溝、すなわち非突出ロック溝４６Ａ及び突出ロック溝４６Ｂが形成されている。
【００２７】
この非突出ロック溝４６Ａ及び突出ロック溝４６Ｂは、スライダケース１３の上面１３Ｘ（図２）上に接着材層４４（図１（Ａ）及び（Ｂ））を介して電子機器４５が接着されたとき、電子機器４５を図１（Ａ）に示すように、カバーシート部材２の表面シート部４内に電子機器４５を位置決めするために、スライダケース１３のロックプレート３１の係止部３１Ｂを下辺側の非突出ロック溝４６Ａに係止させた状態を保持させる。
【００２８】
このとき電子機器用カバー装置１を使用するユーザは、電子機器４５をカバーシート部材２の外側縁より内側に保持させることにより、電子機器４５を外部からの衝撃を受けないような状態で保持する。
【００２９】
これに対して電子機器４５に搭載されているカメラを使用する際には、図１（Ｂ）に示すように、スライダケース１３を、そのロックプレート３１の係止部３１Ｂを突出ロック溝４６Ａに係止させた状態になるように、上辺方向に摺動させる。
【００３０】
このとき電子機器４５はカバーシート部材２の上辺側に電子機器４５の上辺部分を表面シート部４から上辺方向に突出させた状態に維持させ、これにより電子機器４５のカメラをユーザが使用できるようになされている。
【００３１】
以上の構成において、ユーザが電子機器用カバー装置１を使用するとき、電子機器４５のカメラを使用する場合以外の状態においては図１（Ａ）に示すように、スライダケース１３のロックプレート３１を上ガイドケース１１の非突出ロック溝４６Ａに係合させた状態にする。
【００３２】
このとき電子機器４５はカバーシート部材２の表面シート４から外にはみ出すような状態にはならないので、ユーザは電子機器４５を安定に保持操作使用することができる。
【００３３】
これに対して電子機器４５のカメラを使用する場合には、図１（Ｂ）に示すように、ユーザはスライダケース１３を上方に摺動させることにより、電子機器４５をカバーシート部材２の表面シート部４の上辺方向に突出させることにより、カメラを使用できる状態にする。
【００３４】
かくして電子機器用カバー装置１は簡便にユーザの使用目的に沿うような状態で使用させることができる。
【００３５】
このようにするにつき、スライダケース１３の内側に形成した凹部２２を下ガイドケース１２の底板部１２Ａに押し付けた状態でスライダケース１３を上下辺方向に摺動できるように、スライダケース１３を上ガイドケース１１及び下ガイドケース１２間に挟着保持したことにより、スライダケース１３内に対するロックプレート３１及び押圧偏奇用スプリング４１の組立て作業が簡便かつロックプレート３１の非突出ロック溝４６Ａ及び突出ロック溝４６Ｂへのロック動作がスムースな電子機器保持機構５が実現できる。
【００３６】
このようなスライダケース１３の摺動動作は、図７（Ａ）〜（Ｃ）に示す基本構想に基づいて実行される。
【００３７】
すなわち先ず図７（Ａ）に示すように、上ガイドケース１１の非突出ロック溝４６Ａにロックプレート３１を係止させた状態に維持させることにより、図１（Ａ）に示すような、カメラを使わない状態に電子機器４５を位置決めできる。
【００３８】
この状態からユーザは、スライダケース１３を上方方向に摺動させることにより、図７（Ｂ）に示すように、ロックプレート３１を非ロック溝４６Ａの係止状態から外すように、スライダケース１３を上辺方向に摺動させる。
【００３９】
このときロックプレート３１の係止部３１Ｂは非ロック溝４６Ａとの係止状態が外れて、図７（Ｂ）に示すように、上ガイドケース１１の右側縁部１１Ｒの枠開口１１Ａの内側側面に当設した状態になり、ロックプレート３１は押圧偏奇用スプリング４１の偏奇力に抗して摺動溝２３内に押し込まれる状態のまま、右側縁部１１Ｒに摺接しながらスライダケース１３を上辺方向に摺動させていく。
【００４０】
この摺動動作は、押圧偏奇用スプリング４１の偏奇力がロックプレート３１に加えれらることにより、ユーザに対して一定の重さを感じさせながら摺動動作をさせることができることにより、スライダケース１３、従って電子機器４５を安定な状態を維持させながら上辺方向に摺動させていくことができる。
【００４１】
この状態においてユーザがさらにスライダケース１３を上辺方向に摺動させていくと、やがて図７（Ｃ）に示すように、ロックプレート３１の係止部３１Ｂが突出ロック溝４６Ｂに係止される状態になる。
【００４２】
このときロックプレート３１は押圧偏奇用スプリング４１の偏奇力によって右側縁部１１Ｒ上を摺動している状態から突出ロック溝４６Ｂに落ち込み係止される状態に変化することにより、ユーザはスライダケース１３、従って電子機器４５を確かな位置摺動感覚を持った状態で摺動させることができる。
【００４３】
（２）第２の実施の形態
図８は第２の実施の形態を示すもので、図７との対応部分に同一符号を付して示す。
【００４４】
この場合スライダケース１３において、ロックプレート３１に押圧偏奇力を与えるばね押圧偏奇用スプリング４１Ｘは、２本のコイルスプリング４１ＸＡ及び４１ＸＢで構成され、この２本のコイルスプリング４１ＸＡ及び４１ＸＢによってスライダケース１３を摺動溝２３に向う方向に押圧偏奇する。
【００４５】
ロックプレート３１の摺動溝２３とは反対側の後方端部には板状の係合部材６１が設けられ、当該係合部材６１と対向するようにスライダケース１３の左側縁部１３Ｌ側に設けられた係合部材６２との間にコイルスプリング４１ＸＡ及び４１ＸＢが介挿されている。
【００４６】
かくしてロックプレート３１が非突出ロック溝４６Ａに係止されている状態（図８（Ａ））から、突出ロック溝４６Ｂに係止される状態（図８（Ｃ））にスライダケース１３が摺動する際に、ロックプレート３１の係止部３１Ｂがスライダケース１３の右側縁部１１Ｒに摺接しながら移動する状態において、当該右側縁部１１Ｒからロックプレート３１が受ける押圧力を２本のコイルスプリング４１ＸＡ及び４１ＸＢによって安定に支持できる
ようになされている。
【００４７】
かくして図８の構成によれば、スライダケース１３に接着材層４４を介して支持されている電子機器４５を、非突出ロック溝４６Ａから突出ロック溝４６Ｂの位置まで一段と安定に摺動動作させることができる。
【００４８】
（３）第３の実施の形態
図９は第３の実施の形態を示すもので、図７との対応部分に同一符号を付して示す。
【００４９】
この場合の上ガイドケース１１は、右側縁部１１Ｒに非突出ロック溝４６Ａ及び突出ロック溝４６Ｂを設けると共に、上ガイドケース１１の対向する左側縁部１１Ｌにも非突出ロック溝４６ＡＸ及び突出ロック溝４６ＢＸを設ける。
【００５０】
これと共に右側縁部１１Ｒの非突出ロック溝４６Ａ及び突出ロック溝４６Ｂに対応するようにロックプレート３１を設けると共に、左側縁部１１Ｌの非突出ロック溝４６ＡＸ及び突出ロック溝４６ＢＸに対応するロックプレート３１Ｘを設ける。
【００５１】
右側縁部１１Ｒに対応するロックプレート３１に対して押圧偏奇用スプリング４１を設けることは図７の場合と同様であるが、この場合は左側縁部１１Ｌ側のロックプレート３１Ｘにも押圧偏奇用のスプリング４１Ｘを設ける。
【００５２】
図９の構成によれば、スライダケース１３を上ガイドケース１１及び下ガイドケース１２間の位置を下辺方向から上辺方向まで移動させるにつき、右側縁部１１Ｒと左側縁部１１Ｌとの両方に対してロックプレート３１及び３１Ｘの押圧力をバランスよく与えるようにしたことにより、スライダケース１３に保持されている電子機器４５に対して一段と強くしかも安定かつ確実に摺動動作させることができ、これにより電子機器４５のカメラをユーザが使用する際の取扱いに対する安定性を高めることができる。
【産業上の利用可能性】
【００５３】
本発明は電子機器を携帯する場合に利用することができる。
【符号の説明】
【００５４】
１……電子機器用カバー装置、２……カバーシート部材、３……中央シート部、４……表面シート部、５……電子機器保持機構、６……裏面シート部、７……カード収納機構、１１……上ガイドケース、１１Ｌ、１１Ｒ……左側及び右側縁部、１１Ｕ、１１Ｄ……下辺及び上辺縁部、１２……下ガイドケース、１２Ａ……底板部、１２Ｌ、１２Ｒ……左側及び右側縁部、１２Ｄ、１２Ｕ……下辺及び上辺縁部、１３……スライダケース、１３Ｌ、１３Ｒ……左側、右側縁部、１３Ｄ、１３Ｕ……下辺及び上辺縁部、２１Ｒ、２１Ｌ……摺動突子、２２……凹部、２３……摺動溝、２３Ａ、２３Ｂ……案内面、２４Ａ、２４Ｂ……案内部材、３１……ロックプレート、３１Ａ……挿入部、３１Ｂ……係止部、３１Ｃ……後端面、３１Ｅ……係止部、３１Ｆ、３１Ｇ……係止爪、４１……押圧偏奇用スプリング、４１Ａ……後方端部、４１Ｂ、４１Ｃ……係止突起、４１Ｄ……前方端部。
【図１】
2020022180.tif 000003
【図２】
2020022180.tif 000004
【図３】
2020022180.tif 000005
【図４】
2020022180.tif 000006
【図５】
2020022180.tif 000007
【図６】
2020022180.tif 000008
【図７】
2020022180.tif 000009
【図８】
2020022180.tif 000010
【図９】
2020022180.tif 000011